(57)【要約】      （修正有）【課題】浴場における座面を清潔で衛生に保ち、座面の大きさや形状に合わせて簡単に変形が可能で、風呂用椅子のサイズ、サウナ室のベンチシート用のサイズのいずれのサイズにも適合できる着座シートを提供する。【解決手段】可曲柔軟性と防水性を備えた素材で形成した着座シートである。利用者が着座する着座面を覆う本体部１１０と、その周辺に延設されている周辺部１２０を備え、可搬型で着座面に載せ置くことにより自分専用の着座面にできる。周辺部１２０において、その周縁側から本体部１１０の中央側に向けて設けられた切れ込み部１３０を備えておれば、切れ込み部１３０を境目として周辺部１２０は下方に折れ曲がることができ、椅子の座面が長方形であっても円形であってもほぼそのまま下方に折れ曲がることができる。【選択図】図３
2016174739.tif 000002
【特許請求の範囲】
【請求項１】
可曲柔軟性と防水性を備えた素材で形成した着座シートであって、
利用者が着座する着座面を覆う本体部と、前記本体部の周辺に延設されている周辺部を備え、
可搬型で着座面に載せ置くことにより自分専用の着座面にできる浴場用の着座シート。
【請求項２】
前記周辺部において、周縁側から中央側にかけて設けられた切れ込み部を備えたことを特徴とする請求項１に記載の浴場用の着座シート。
【請求項３】
前記切れ込み部が、放射状に少なくとも４カ所設けられていることを特徴とする請求項２に記載の浴場用の着座シート。
【請求項４】
前記本体部および前記周辺部の裏面に滑り止め効果を有する凹凸形状を設けたことを特徴とする請求項１から３のいずれか１項に記載の浴場用の着座シート。
【請求項５】
前記本体部および前記周辺部の表面に、水分を中央から前記周辺部の外方へ導くための水抜き用の溝を多数設けたことを特徴とする請求項１から４のいずれか１項に記載の浴場用の着座シート。
【請求項６】
前記素材が、シリコン樹脂、熱可塑性エラストマー、天然ゴム、合成ゴム、塩化ビニール、軟質性プラスチック樹脂のいずれかまたはそれらの組み合わせからなる請求項１から５のいずれか１項に記載の浴場用の着座シート。
【発明の詳細な説明】
【技術分野】
【０００１】
本発明は、浴場向けに使用する着座シート、特にサウナ、風呂の洗い場などで使用する着座シートに関し、着座面に被せることで着座面を衛生的かつ使用感が良く、可搬型で着座面に載せ置くことにより自分専用の着座面にできる着座シートに関するものである。
【背景技術】
【０００２】
浴場において椅子等に着座する機会は多い。例えば、浴場の洗い場で体を洗う際には、木材またはプラスチック等で形成された風呂用腰掛けを用い、風呂用腰掛けの上部に直接腰掛けるのが基本である。また、サウナ室内でも滞留型サウナ設備または放射型サウナ設備に対向するように設置された簀の子等で作成したベンチシートに腰掛けるのが基本である。なおサウナ室のベンチシートの上面にタオルなどが敷き詰められていることも多い。
特に、公衆浴場となると不特定多数の利用者が入れ替わり立ち替わり、同じ風呂用腰掛けやベンチシートを利用するため、利用者の臀部や太腿などが直接その着座面に接触することとなる。そのため少なからずの利用者が、着座面が不衛生かつ使用感が悪いと感じることが多い。
【０００３】
そこで、公衆浴場の利用者は、風呂の洗い場の風呂用腰掛けであれば使用前に座面に湯をかけて簡単に洗浄等して使うことが多い。さらに冬期などでは風呂用腰掛けの座面が冷えており、湯を座面にかけて暖める必要があった。また、サウナ室のベンチシートであれば新しいタオルなどを持ち込んでベンチシートの上に敷き、その上に座って使うことが多い。
【０００４】
しかし、風呂の洗い場の風呂用腰掛けの座面を簡単に洗浄した程度では衛生的とは言えず、人によっては不潔感を感じるものである。また、サウナ室のベンチシートであればタオルなどが敷き詰められているが、利用者が大量に汗をかくため、座面内部に染み込んで蓄積した他人の汗が染み出してくる可能性もあり、衛生的とは言えず、人によっては不潔感を感じるものである。
【０００５】
従来技術において、上記課題に鑑みて考案されたものが幾つか知られている。
特許文献１（実用新案登録第３００２３０４号公報）には、図６に示すように、発泡ウレタン製などの風呂床面マットを、風呂椅子の座面に適合する形状に裁断した板状の風呂マットであり、かつ、裏面に滑り止め用のゴムを設けたものが開示されている。
【０００６】
特許文献２（特開２００４−３２１７４６号公報）には、図７に示すように、適度の柔軟性および弾力性を有する発泡ポリエチレン製等の素材にて形成され、マット本体中央に水抜き孔を設けられたことを特長とする風呂椅子用マットが開示されている。
【０００７】
特許文献３（実開平０５−４８７８５号公報）には、図８に示すように、風呂椅子の座面に適合する形状に発泡樹脂などを裁断し、風呂用腰掛けの上面の形状とほぼ同形状をなすクッション部と、クッション部の周縁部から下方に延出して設けられた延出部とを有し、風呂用腰掛けの上部に被せて冠着可能な構造とした風呂用腰掛けマットが開示されている。
【０００８】
特許文献４（実用新案登録第３１１６４２０号公報）には、図９に示すように、風呂椅子の座面に適合する形状に布綿を裁断した布綿製のカバー体であり、かつ、カバー体の対向する位置に一対の翼片を形成せしめ、翼片に吸盤などの固定具を取り付けた風呂椅子カバーが開示されている。
【０００９】
【特許文献１】実用新案登録第３００２３０４号公報
【特許文献２】特開２００４−３２１７４６号公報
【特許文献３】実開平０５−４８７８５号公報
【特許文献４】実用新案登録第３１１６４２０号公報
【発明の開示】
【発明が解決しようとする課題】
【００１０】
しかし、上記のような従来技術における着座シートには下記に示す問題があった。
第１の問題は、大きさや形状が固定的で使い勝手が悪いという問題である。
個人宅の浴室内の椅子であれば形状が固定的であっても合致していれば良いが、公衆浴場の場合、利用者が着座しようとする座面の大きさや座面の形は、風呂椅子やサウナ室のベンチシートなど様々であるため、必ずしも着座する座面に適合するものとはならない。特に、利用者が訪問する公衆浴場が一つに特定されておらず、複数の公衆浴場を利用する場合、風呂椅子の形状もバラバラである。
【００１１】
特許文献１（実用新案登録第３００２３０４号公報）に開示された板状の風呂マットは変形しない板状のものであり大きさや形状が固定的である。例えば、図６のような長方形の風呂マットであった場合、風呂用椅子の上面が円形の場合、風呂マットの縁が大きく周囲にはみ出てしまい、使い勝手が悪くなる。
【００１２】
特許文献２（特開２００４−３２１７４６号公報）に開示された風呂椅子用マットは、折り畳みはできる構造であるものの、板状のしっかりした構造物であり、展開して拡げた大きさや形状が一意に定まってしまうものであった。そのため、展開して拡げた大きさや形状が一意に定まってしまい、図７のような長方形の風呂椅子用マットであった場合、風呂用椅子の上面が円形の場合、風呂椅子用マットの縁が大きく周囲にはみ出てしまい、使い勝手が悪くなるという問題点は解消していない。
【００１３】
特許文献３（実開平０５−４８７８５号公報）に開示された風呂用腰掛けマットは、風呂椅子の上面の形状にピタリと合致させて作成されているものであり、他の風呂椅子では使用ができないものである。つまり、例えば、図８のように長方形用の風呂用腰掛けマットは、円形の風呂椅子では使用することができない。
【００１４】
特許文献４（実用新案登録第３１１６４２０号公報）に開示された風呂椅子カバーは柔軟で曲がる構造物であり風呂椅子にある程度は沿うように変形する構造である。しかし、やはり特定の風呂椅子の形状にしか合致しないものである。図９の例では円形の風呂椅子用のカバーであるが、長方形の風呂椅子には適合できないことは明らかである。また、同じ円形の風呂椅子であったとしても、図９に示すように、綺麗にスカート状に折れ曲がるか否かは疑問である。実際には風呂椅子用マットの縁が綺麗には垂れ下がらずに周囲にはみ出てしまい、使い勝手が悪くなることが想定される。
【００１５】
第２の問題は、風呂の洗い場用の椅子とサウナ室のベンチシートでの使用サイズの違いに対応できないという問題である。風呂の洗い場用の椅子はサイズが尻の大きさと近く比較的コンパクトなものが多いが、サウナ室のベンチシートでは利用者がリラックスして座る姿勢も変えながら長時間使用することが前提であるので、利用者の座面使用範囲が比較的広いものが想定される。つまり、風呂の洗い場用の椅子に対応してサイズを小さくすれば、サウナ室のベンチシートでの使用時にはサイズが合わなくなる。一方、サウナ室のベンチシートでの使用サイズに合わせて大きく作ると風呂の洗い場用の椅子に載せた際に風呂椅子用マットの縁が大きく周囲にはみ出てしまい、サイズが合わなくなる。
【００１６】
この問題は、特許文献１（実用新案登録第３００２３０４号公報）に開示された板状の風呂マット、特許文献２（特開２００４−３２１７４６号公報）に開示された風呂椅子用マット、特許文献４（実用新案登録第３１１６４２０号公報）に開示された風呂椅子カバーのいずれも共通した問題であり、このように、座面の広さを動的に変化させる構造を持つものはない。また、特許文献３（実開平０５−４８７８５号公報）に開示された風呂用腰掛けマットは、平面のサウナ室のベンチシートには適合しないものであることは明らかである。
【００１７】
そこで、上記問題に鑑み、本発明は、浴場における座面を清潔で衛生に保ち、使用しようとする座面の大きさや形状に合わせて簡単に変形が可能でいずれの座面にも適合でき、また、風呂用椅子のサイズ、サウナ室のベンチシート用のサイズのいずれのサイズにも適合できる着座シートを提供することを目的とする。
【課題を解決するための手段】
【００１８】
上記目的を達成するため、本発明の公衆浴場用の着座シートは、可曲柔軟性と防水性を備えた素材で形成した着座シートであって、利用者が着座する着座面を覆う本体部と、前記本体部の周辺に延設されている周辺部を備えた着座シートであって、可搬型で着座面に載せ置くことにより自分専用の着座面にできる浴場用の着座シートである。
なお、周辺部において、その周縁側から本体部の中央側に向けて設けられた切れ込み部を備えた構造とし、切れ込み部が本体部の中央側に対して放射状に少なくとも４カ所設けられていることが好ましい。
【００１９】
上記構成により、座面がサウナ室のベンチシートのように大きな平面である場合は平面として拡がり、風呂の洗い場の風呂椅子であれば本体部の一部および周辺部の一部が風呂椅子の座面に沿うように平面で残り、他の部分は下方に折れ曲がって風呂椅子の座面のサイズに適合することができる。切れ込み部が設けられているため切れ込み部を境目として周辺部は下方に折れ曲がることができ、椅子の座面が長方形であっても円形であっても、その座面からはみ出た部分はほぼそのまま下方に折れ曲がることができる。
【００２０】
次に、上記構成の浴場用の着座シートにおいて、本体部および前記周辺部の裏面に滑り止め効果を有する凹凸形状を設けた構成とすることが好ましい。裏面に凹凸形状があれば風呂椅子の座面であっても、サウナ室のベンチシートの座面であっても安定して滑りにくくなる。
【００２１】
また、上記構成の浴場用の着座シートにおいて、本体部および前記周辺部の表面に、水分を中央から周辺部の外方へ導くための水抜き用の溝を多数設けた構成とすることも好ましい。溝があればいわゆる“毛細管現象”により水が移動し、座面に溜まる水が座面の外方へと移動するため座面の水を低減させることができる。
【００２２】
なお、本発明の浴場用の着座シートの素材であるが、可曲柔軟性と防水性を備えた素材であれば限定されず採用することができるが、一例としては、シリコン樹脂、熱可塑性エラストマー、天然ゴム、合成ゴム、塩化ビニール、軟質性プラスチック樹脂のいずれかまたはそれらの組み合わせなどがある。
【発明の効果】
【００２３】
本発明の着座シートによれば、可搬型で着座面に載せ置くことにより自分専用の着座面にでき、浴場における座面を清潔で衛生に保つことができる。
また、本発明の着座シートによれば、使用しようとする座面の大きさや形状に合わせて簡単に変形が可能でいずれの座面にも適合できる。
さらに、本発明の着座シートによれば、風呂用椅子のサイズのみならず、サウナ室のベンチシート用のサイズのいずれのサイズにも適合できる。
【図面の簡単な説明】
【００２４】
【図１】実施例１にかかる本発明の公衆浴場向け着座シート１００の構成例を簡単に示す図である。
【図２】着座シート１００が様々な座面に対して変形して適合できる様子を簡単に示す図である。
【図３】実施例２にかかる本発明の公衆浴場向け着座シート１００ａの構成例を簡単に示す図である。
【図４】切れ込み部１３０の存在によって着座シート１００が様々な座面に対して変形して適合できる様子を簡単に示す図である。
【図５】実施例２にかかる本発明の着座シート１００ａの構成を簡単に示す図である。
【図６】従来技術の実用新案登録第３００２３０４号公報に開示された風呂マットを示した図である。
【図７】従来技術の特開２００４−３２１７４６号公報に開示された風呂椅子用マットを示した図である。
【図８】従来技術の実開平０５−４８７８５号公報に開示された風呂用腰掛けマットを示した図である。
【図９】従来技術の実用新案登録第３１１６４２０号公報に開示された風呂椅子カバーを示した図である。
【発明を実施するための最良の形態】
【００２５】
以下、図面を参照しつつ、本発明の着座シートの実施形態を説明する。ただし、本発明の技術的範囲は以下の実施形態に示した具体的な用途や形状・寸法などには限定されない。
【実施例１】
【００２６】
図１は、実施例１にかかる本発明の公衆浴場向け着座シート１００の構成例を簡単に示す図である。
図１に示した着座シート１００の構成例は、本体部１１０と周辺部１２０を備えた構成となっている。
【００２７】
着座シート１００全体は、可曲柔軟性と防水性を備えた素材で形成されている。浴場の着座面は水気が多く、その座面にある水を遮断して利用者の臀部や太腿が直接触れ得る部分を清潔かつ衛生的に保つためである。
着座シート１００全体の素材の例としては、可曲柔軟性と防水性を備えたものであれば採用できるが、例えば、シリコン樹脂、熱可塑性エラストマー、天然ゴム、合成ゴム、塩化ビニール、軟質性プラスチック樹脂のいずれかまたはそれらの組み合わせなどがある。これらはいずれも軟質性であり、薄手に製作すれば自重で簡単にたわむ程度の可曲柔軟性を持つものとすることができる。シリコン樹脂や熱可塑性エラストマーや塩化ビニールは肌触りも良く、臭いもないので好適である。
【００２８】
着座シート１００のサイズは限定されない。例えば、風呂椅子の着座面およびサウナ室のベンチシートの着座面に対応する大きさとすれば良い。一例として、幅４０ｃｍ〜６０ｃｍ程度、奥行き３０ｃｍ〜５０ｃｍ程度とすることができる。なお、一般の風呂椅子の座面は幅４０ｃｍ程度、奥行３０ｃｍ程度のものが多い。サウナ室のベンチシートの上で必要とするサイズは個人差があるが、一般のオフィスチェアのサイズが幅５０ｃｍ程度、奥行き５０ｃｍ程度のものが多いことを鑑みれば、着座シート１００全体のサイズは幅６０ｃｍ程度、奥行き５０ｃｍ程度あれば使用に耐えるものと考えられる。もちろん、そのサイズよりも大きなサイズとしても良いし、小さいサイズとしても良い。
素材に可曲柔軟性があるため簡単に折り畳んで小さくすることができ、可搬型のシートとなり得る。
【００２９】
本体部１１０は、利用者が着座する着座面を覆う本体部分である。概ね利用者はこの本体部１１０の上に腰を下ろして臀部が接触する部位となる。その周辺には周辺部１２０が拡がっており、この周辺部も着座面として使用できるので、本体部１１０はその中央部分と捉えることができる。本体部１１０と周辺部１２０はとりあえず名付けたもので、実際には連続した１枚のシートと捉えることができる。
本体部１１０は、例えば、幅３０ｃｍ程度、奥行３０ｃｍ程度のものとする。サウナ室のベンチシートでの使用、風呂椅子の座面での使用のいずれの使用であっても利用者が腰掛ける基本的部分となるサイズがあれば良く、ここでは、風呂椅子の座面が、幅４０ｃｍ程度、奥行３０ｃｍ程度であることを鑑みて、ここでは幅３０ｃｍ程度、奥行３０ｃｍ程度を利用者が腰掛ける基本的部分となるサイズと想定した。
【００３０】
周辺部１２０は、本体部１１０の周辺に延設されている部位であり、いわゆる本体部１１０に対するマージンの領域である。この本体部１１０と周辺部１２０の両方を合わせることにより、どのようなサイズ、形状の座面であっても着座面をカバーすることができる効果がある。
周辺部１２０の大きさであるが、この例では周辺方向にそれぞれ１０ｃｍ〜３０ｃｍ程度とすることができる。
【００３１】
図２は、本発明の着座シート１００が様々な座面に対して変形して適合できる様子を簡単に示す図である。
図２（ａ）は、座面がサウナ室のベンチシート２００ａのように大きな平面である場合の着座シート１００の状態を示す図である。サウナ室のベンチシートのように大きな平面に拡げて載せ置いた場合、着座シート１００は平面として拡がるが、ベンチシートからはみ出ている部分は折れ曲がって垂れ下がる。
【００３２】
図２（ｂ）は、座面が風呂の洗い場の風呂椅子２００ｂであり、その座面が長方形の場合の着座シート１００の状態を示す図である。着座シート１００は風呂椅子２００ｂからはみ出た周辺部１２０の一部は風呂椅子２００ｂの縁から垂れ下がるように屈曲し、長方形の座面に沿う形に変形していることが分かる。このように長方形の座面に沿った形となるので風呂椅子の座面から着座シートがはみ出るようなことはなく風呂椅子２００ｂの座面のサイズに適合したものとなり、また太腿などに当たることもなく、使用感が良好なものとなる。
【００３３】
図２（ｃ）の場合は、座面が風呂の洗い場の風呂椅子２００ｃであり、その座面が円形の場合の着座シート１００の状態を示す図である。着座シート１００は風呂椅子２００ｂからはみ出た周辺部１２０の一部が風呂椅子２００ｂの縁から垂れ下がるように屈曲し、円形の座面に沿う形に変形していることが分かる。このように円形の座面に沿った形となるので風呂椅子の座面から着座シートがはみ出るようなことはなく、風呂椅子２００ｃの座面のサイズに適合するものとなり、また太腿などに当たることもなく、使用感が良好なものとなる。
【００３４】
つまり、図２に示すように、利用者は本発明の着座シートを可搬しておれば、どの公衆浴場のサウナや洗い場を利用しても、その着座面に載せ置くことにより自分専用の着座面にすることができる。
【実施例２】
【００３５】
実施例２は、周辺部１２０において切れ込み部１３０を備えた構成例である。
図３は、実施例２にかかる本発明の公衆浴場向け着座シート１００ａの構成例を簡単に示す図である。
着座シート１００ａの構成例は、本体部１１０と周辺部１２０に加え、切れ込み部１３０を備えた構成となっている。
【００３６】
切れ込み部１３０は、周辺部１２０に設けられている切れ込みであり、周辺部１２０の周縁側から本体部１１０の中央側に向けて設けられたものとなっている。図３に示す構成例では、切れ込み部１３０が本体部１１０の中央側に対して放射状に４本設けられた例となっている。この切れ込み部１３０を設ける範囲は、周辺部１２０に留まっており本体部１１０には至っていない。
【００３７】
次に、切れ込み部１３０を設けた効果について説明する。
図４は、切れ込み部１３０の存在によって着座シート１００ａが様々な座面に対して変形して適合できる様子を簡単に示す図である。
図４（ａ）は、座面がサウナ室のベンチシート２００ａのように大きな平面である場合の着座シート１００ａの状態を示す図である。サウナ室のベンチシートのように大きな平面に拡げて載せ置いた場合、着座シート１００ａは平面として拡がるが、ベンチシートからはみ出ている部分は折れ曲がって垂れ下がる。
【００３８】
図４（ｂ）は、座面が風呂の洗い場の風呂椅子２００ｂであり、その座面が長方形の場合の着座シート１００の状態を示す図である。着座シート１００ａは切れ込み部１３０を境目として折れ曲がり、周辺部１２０の一部が風呂椅子２００ｂの縁から垂れ下がるように屈曲し、長方形の座面に沿う形に変形していることが分かる。このように長方形の座面に沿った形となるので風呂椅子の座面から着座シートがはみ出るようなことはなく風呂椅子２００ｂの座面のサイズに適合したものとなり、また太腿などに当たることもなく、使用感が良好なものとなる。
【００３９】
図４（ｃ）の場合は、座面が風呂の洗い場の風呂椅子２００ｃであり、その座面が円形の場合の着座シート１００ａの状態を示す図である。着座シート１００ａは切れ込み部１３０を境目として折れ曲がり、周辺部１２０の一部が風呂椅子２００ｂの縁から垂れ下がるように屈曲し、円形の座面に沿う形に変形していることが分かる。このように円形の座面に沿った形となるので風呂椅子の座面から着座シートがはみ出るようなことはなく、風呂椅子２００ｃの座面のサイズに適合するものとなり、また太腿などに当たることもなく、使用感が良好なものとなる。
【００４０】
つまり、図４に示すように、利用者は本発明の着座シートを可搬しておれば、どの公衆浴場のサウナや洗い場を利用しても、その着座面に載せ置くことにより自分専用の着座面にすることができる。
【実施例３】
【００４１】
実施例３の本発明の着座シート１００ｂは、裏面や表面にさらなる工夫を施した例である。
図５は、実施例３にかかる本発明の着座シート１００ｂの構成を簡単に示す図である。図５（ａ）は実施例３にかかる本発明の着座シート１００ｂの表面側、図５（ｂ）は実施例２にかかる本発明の着座シート１００ｂの裏面側を示す図となっている。
【００４２】
図５に示した例では、着座シート１００の本体部１１０および周辺部１２０の裏面に滑り止め効果を有する凹凸形状１４０が設けられ、さらに、本体部１１０および周辺部１２０の表面に水分を中央から周辺部の外方へ導くための水抜き用の溝１５０が多数設けられた構成となっている。
なお、本体部１１０、周辺部１２０、切れ込み部１３０の基本的構造に関しては、実施例２に説明した着座シート１００の構成と同様で良く、その説明は適宜省略する。
【００４３】
凹凸形状１４０は、本体部１１０および周辺部１２０の裏面に設けられたものであり、滑り止め効果を発揮する部分である。
凹凸形状１４０の形状そのものは特に限定されないが、滑り止め効果を発揮する形状であれば良い。単純には格子状に凹凸形状を設けておけばある程度の滑り止め効果を発揮し得る。また、中心付近から同心円状に凹凸形状を設けておいても良い。また、例えば、自動車タイヤの表面には多数の凹凸形状が設けられているが、これら形状は水膜の張った路面でも滑り止め効果が発揮できる形状となっているところ、本発明の凹凸形状１４０として参考にすることができる。
【００４４】
図５（ｂ）の構成例では、単純な格子状の凹凸形状を設けた例となっている。
次に、溝１５０は、本体部１１０および周辺部１２０の表面に、水分を中央から周辺部の外方へ導くための水抜き用の溝である。このような細い溝であれば着座している使用者に特に違和感を持たせることもなく、また、溝１５０があればいわゆる“毛細管現象”により水がその溝１５０を伝って移動し、本体部１１０に溜まる水を外方へと移動させることができるため、本体部１１０に溜まる水を低減させることができる。
【００４５】
溝１５０の形状は、毛細管現象を発揮できる形状であれば特に限定はない。溝１５０の方向であるが、本体部分１１０の中央付近から周辺部１２０へと周囲に拡がるように設けておけば、自然と座面の水が外方へと排出され得る。
図５（ａ）の構成例では、中心付近から放射線状に多数の溝１５０が外方へ向けて刻まれている例となっている。このように中心付近から放射線状に多数の溝１５０が外方へ向けて設けられていれば、座面がサウナ室のベンチシートのような広い平面であっても、長方形の風呂椅子の座面であっても、円形の風呂椅子の座面であっても、いずれも座面の水を外方へ導いて排出することができる。
【００４６】
以上、本発明の着座シートの実施例を説明してきたが、本発明の技術的範囲を逸脱することなく種々の変更が可能であることは理解されるであろう。
【産業上の利用可能性】
【００４７】
本発明の着座シートは、浴場向けに使用する着座シート、特にサウナ、風呂の洗い場などで使用する着座シートとして広く適用することができ、可搬型で着座面に載せ置くことにより自分専用の着座面にできる着座シートとして広く適用することができる。
【符号の説明】
【００４８】
１００  着座シート
１１０  本体部分
１２０  周辺部分
１３０  切れ込み部
１４０  凹凸形状
１５０  溝
２００  着座面
【図１】
2016174739.tif 000003
【図２】
2016174739.tif 000004
【図３】
2016174739.tif 000005
【図４】
2016174739.tif 000006
【図５】
2016174739.tif 000007
【図６】
2016174739.tif 000008
【図７】
2016174739.tif 000009
【図８】
2016174739.tif 000010
【図９】
2016174739.tif 000011